(57)【要約】【課題】  ドア下枠に十分な強度を確保した状態で、防水パンの水返し部を切り欠くことなくドアを所望位置に取り付け可能な浴室のドア取付構造を提供する。【解決手段】  防水パンの外周部に設けられた壁パネル載置部のドア取付位置に、ドア枠の下枠が取り付けられる浴室のドア取付構造であって、壁パネル載置部が防水パンの底面に対して所定高さ位置に形成されると共に、該壁パネル載置部の外周縁に水返し機能と下枠取付機能を有する立ち上げ部が形成され、該立ち上げ部の外側に下枠に設けた例えば中空状の補強部を位置させた状態で、ドア枠が防水パンのドア取付部分に取り付けられる。前記下枠は、裏面側に補強部が形成された第１平坦部と、該第１平坦部より高い位置に形成されて防水パンの底面との段差を２０ｍｍ以下に設定し得る第２平坦部とを有する。【選択図】  図４
2006226076.tif 000002
【特許請求の範囲】
【請求項１】
防水パンの外周部に設けられた壁パネル載置部のドア取付位置に、ドア枠の下枠が取り付けられる浴室のドア取付構造であって、
前記壁パネル載置部が防水パンの底面に対して所定高さ位置に形成されると共に、該壁パネル載置部の外周縁に水返し機能と下枠取付機能を有する立ち上げ部が形成され、該立ち上げ部の外側に前記下枠に設けた補強部を位置させた状態で、ドア枠が防水パンのドア取付位置に取り付けられることを特徴とする浴室のドア取付構造。
【請求項２】
前記下枠の補強部は、下方に突出する如く中空状に一体形成されていることを特徴とする請求項１に記載の浴室のドア取付構造。
【請求項３】
前記下枠は、その裏面側に前記補強部が形成された第１平坦部と、前記補強部の外側で第１平坦部より高い位置に形成されて前記防水パンの底面との段差を２０ｍｍ以下に設定し得る第２平坦部と、を有することを特徴とする請求項１または２に記載の浴室のドア取付構造。
【請求項４】
前記防水パンのパネル載置部は、立ち上げ部の内側で防水パンの底面より高い位置に略平坦に形成されて壁パネルや下枠が載置される載置面を有することを特徴とする請求項１ないし３のいずれかに記載の浴室のドア取付構造。
【請求項５】
前記防水パンのパネル載置部は、立ち上げ部の裏面側に補強用のリブが一体形成されていることを特徴とする請求項１ないし４のいずれかに記載の浴室のドア取付構造。
【発明の詳細な説明】
【技術分野】
【０００１】
本発明は、浴室ユニット等において、浴室と例えば脱衣場との間に設置されるドアの取付構造に関する。
【背景技術】
【０００２】
従来、浴室におけるドアの取付構造としては、例えば特許文献１に開示されている。この公報に開示の浴室ドアは、図５に示すように、浴室フロアを形成する防水パン１０１の外周部にパネル載置部１０２が形成されると共に、このパネル載置部１０２に略平板状に形成されたドア下枠１０３のビス用ホール１０３ａが入る凹部１０４を形成したものである。この時、防水パン１０１は、平面視で長方形状に形成され、図６の二点鎖線で示すように、例えば外周４辺に水返し部１０５が上方に所定寸法突出して形成されており、パネル載置部１０２のドア取付位置の水返し部１０５を切り欠き、該切欠き部分にドア下枠１０３が設置されるようになっている。
【特許文献１】特開平１１−５０６８１号公報
【発明の開示】
【発明が解決しようとする課題】
【０００３】
しかしながら、このようなドア取付構造においては、防水パン１０１の外周部に設けられる水返し部１０５の一部をドア取付位置によって切り欠くことでドアが設置されるため、各種のドア取付位置に対応できて防水パン１０１の汎用性を高めることができるものの、ドア取付位置に応じた切欠き作業が必要となって防水パン１０１の生産性が劣ると共に、防水パン１０１の切欠き部分に所定高さの水返し部１０５が存在しなくなるため、該部分の水漏れ防止効果の確保のためにシール材等の止水機構が別途必要になる等、生産性やコスト面及び施工面への悪影響を与え易い。また、防水パン１０１の凹部１０４が形成されたパネル載置部１０３上に、略平板状に形成されたドア下枠１０３が単に載置される状態となっているため、ドア下枠１０３自体に十分な強度を確保することが難しい。
【０００４】
本発明は、このような事情に鑑みてなされたもので、その目的は、ドア下枠に十分な強度を確保した状態で、防水パンの水返し部を切り欠くことなくドアを所望位置に取り付け可能な浴室のドア取付構造を提供することにある。
【課題を解決するための手段】
【０００５】
かかる目的を達成すべく、本発明のうち請求項１に記載の発明は、防水パンの外周部に設けられた壁パネル載置部のドア取付位置に、ドア枠の下枠が取り付けられる浴室のドア取付構造であって、前記壁パネル載置部が防水パンの底面に対して所定高さ位置に形成されると共に、該壁パネル載置部の外周縁に水返し機能と下枠取付機能を有する立ち上げ部が形成され、該立ち上げ部の外側に前記下枠に設けた補強部を位置させた状態で、ドア枠が防水パンのドア取付位置に取り付けられることを特徴とする。
【０００６】
そして、前記下枠の補強部は、請求項２に記載の発明のように、下方に突出する如く中空状に一体形成されていることが好ましく、また、前記下枠は、請求項３に記載の発明のように、その裏面側に前記補強部が形成された第１平坦部と、前記補強部の外側で第１平坦部より高い位置に形成されて防水パンの底面との段差を２０ｍｍ以下に設定し得る第２平坦部と、を有することが好ましい。
【０００７】
さらに、前記防水パンのパネル載置部は、請求項４に記載の発明のように、立ち上げ部の内側で防水パンの底面より高い位置に略平坦に形成されて壁パネルや下枠が載置される載置面を有することが好ましい。また、前記防水パンのパネル載置部は、請求項５に記載の発明のように、立ち上げ部の裏面側に補強用のリブが一体形成されていることが好ましい。
【発明の効果】
【０００８】
本発明の請求項１に記載の発明によれば、防水パンの壁パネル載置部の外周縁に、水返し機能と下枠取付機能を有する立ち上げ部が形成され、この立ち上げ部の外側に下枠の補強部を位置させた状態でドア枠が防水パンのドア取付位置に取り付けられるため、補強部により下枠に十分な強度を確保することができると共に、切り欠くことのない立ち上げ部の水返し機能で水漏れ防止効果を確保しつつ、かつ立ち上げ部の下枠取付機能を利用して下枠を防水パンの外周部の所望位置に位置決め等しつつ簡単に取り付けることができる。
【０００９】
また、請求項２に記載の発明によれば、請求項１に記載の発明の効果に加え、下枠の補強部が下方に突出する如く中空状に一体形成されているため、中空状の補強部により下枠を軽量化しつつその強度アップ等を図ることができ、ドア枠の取付作業等の施工性を高めることができると共にドア枠の安定した取付状態を得ることができる。
【００１０】
また、請求項３に記載の発明によれば、請求項１または２に記載の発明の効果に加え、下枠が、その裏面側に補強部が形成された第１平坦部と、補強部の外側で第１平坦部より高い位置に形成されて防水パンの底面との段差を２０ｍｍ以下に設定し得る第２平坦部とを有するため、防水パンのドア取付位置に、第１平坦部と第２平坦部で水漏れ防止効果を確実に維持しつつ浴室内への出入りに好適な２０ｍｍ以下の段差を容易に得ることができる。
【００１１】
さらに、請求項４に記載の発明によれば、請求項１ないし３に記載の発明の効果に加え、防水パンのパネル載置部が、立ち上げ部の内側で防水パンの底面より所定高さ位置に略平坦に形成された載置面を有するため、パネル載置部上に壁パネルや下枠を安定載置できると共に、載置面上への水溜りを防止できてドア取付位置の止水性や清潔さを一層高めることができる。
【００１２】
また、請求項５に記載の発明によれば、請求項１ないし４に記載の発明の効果に加え、パネル載置部の立ち上げ部の裏面側に補強用のリブが一体形成されているため、リブにより立ち上げ部の強度アップが図れて、立ち上げ部に支持される下枠の取付強度を十分に確保することができる。
【発明を実施するための最良の形態】
【００１３】
以下、本発明の実施の形態を図面に基づいて詳細に説明する。
図１〜図４は、本発明に係わる浴室のドア取付構造の一実施形態を示し、図１がその防水パンの斜視図、図２が図１のＡ−Ａ線に沿った縦断面図、図３が壁パネルの載置状態の縦断面図、図４がドア枠の取付状態の縦断面図である。
【００１４】
図１に示すように、本発明の浴室に使用される防水パン１は、樹脂成形により全体として皿形状に形成された平面視長方形状の底面部２と、この底面部２の４つの外周部にそれぞれ立設状態で設けられた壁パネル載置部３を有している。また、底面部２の幅方向の一端側でその長手方向の略中央部には排水口部４が設けられると共に、底面部２の裏面側には所定間隔を有して複数のリブ５（図２参照）が一体形成されている。
【００１５】
さらに、前記壁パネル載置部３は、図２に示すように、底面部２の表面より所定寸法ｈ１（例えば５ｍｍ）高く形成された所定幅ｗ（図３参照）を有する平坦な載置面３ａと、この載置面３ａの幅方向の外側端部である外周縁に上方に所定寸法突出して形成された立ち上げ部３ｂと、この立ち上げ部３ｂの裏面（下面）側に下方に所定寸法突出して形成されたリブ３ｃ等を有している。この時、載置面３ａの幅ｗは、浴室壁面を形成する壁パネル６（図３参照）の板厚と略同一に設定され、立ち上げ部３ｂは、その上面が防水パン１の底面部２に対して所定寸法高い位置に設けられることにより、防水パン１上の水の防水パン１外への漏れを防止する止水機能と、後述する下枠８ａの凹部１１を嵌入して支持したり壁パネル６の外側への移動を規制して位置決めする下枠取付機能を有している。
【００１６】
そして、この防水パン１は、図１の二点鎖線で示すように、幅方向の一端側に浴槽側防水パン７が連結されて、施工現場の床面であるコンクリート躯体上に水平状態で設置され、この設置状態の防水パン１の３つの外周部の壁パネル載置部３上に壁パネル６がそれぞれ設置されると共に、例えば脱衣場側の所定位置にドア８が取り付けられる。この時、壁パネル６の設置は、図３に示すように、その下端６ａが壁パネル載置部３の平坦な載置面３ａ上に直接載置されて図示しないシール材でシーリングされることにより行われ、この壁パネル６は、壁パネル載置部３の立ち上げ部３ｂにより外側への移動が規制された状態となっている。
【００１７】
また、ドア８の壁パネル載置部３への設置は、図４に示すようにして行われる。すなわち、ドア８を形成するドア枠の下枠８ａが、アルミニウムの押し出し成形により異形形状に形成され、浴室内側（図４において左側）に位置して上面に戸車用のレール９ａを有する第１平坦部９と、浴室外側（図４において右側）に位置する第２平坦部１０等を有している。前記第１平坦部９は、その裏面で浴室側の側壁９ｂ内側にビス用ホール９ｃが形成されると共に、このビス用ホール９ｃの外側に所定の間隔を有して断面扁平ロ字状の中空状の補強部９ｄが形成されている。この補強部９ｄの側壁とビス用ホール９ｃの一端側に設けた側壁９ｅとにより、防水パン１の前記立ち上げ部３ｂが嵌入する凹部１１が形成されている。
【００１８】
また、前記第２平坦部１０は、補強部９ｄの他端部に形成されたビス用ホール１０ａの上部に第１平坦部９より所定寸法高い位置で浴室外側に水平状態で突出して形成されている。なお、第２平坦部１０と第１平坦部９の連結部分には、シール材１２を嵌合させる凹部１３が形成されている。また、下枠８ａの第１平坦部９の図４に示す高さ寸法ｈ３は例えば８．６ｍｍに設定され、第２平坦部１０の図４に示す高さ寸法ｈ２は例えば１３．４ｍｍに設定されている。
【００１９】
このように構成された下枠８ａは、その第１平坦部９の裏面に設けた前記側壁９ｂ、９ｅの下端が防水パン１の壁パネル載置部３の平坦な載置面３ａ上に載置されると共に、第２平坦部１０の裏面に脱衣場フロア１４が配置されて、浴室と脱衣場との間の所定位置にドア８が設置される。そして、このドア８の設置状態において、壁パネル載置部３の立ち上げ部３ｂが下枠８ａの凹部１１内に位置決めされた状態で嵌入すると共に、立ち上げ部３ｂの外側に下枠８ａの補強部９ｄが位置した状態となる。
【００２０】
また、このドア８の設置状態において、防水パン１の底面部２から下枠８ａの第２平坦部１０までの高さ寸法（段差）ｈは、前記寸法ｈ１、ｈ２、ｈ３が前述した値に設定されることにより、２０ｍｍ以下であるｈ＝１８．４ｍｍに設定されている。なお、この例における下枠８ａの形状は一例であって、ビス用ホール９ｃ、１０ａの位置や補強部９ｄの形状を、防水パン１の壁パネル載置部３の形状や脱衣場フロア１４の形状等に応じて、前記段差ｈとして、浴室外への水漏れを防止しつつ浴室内への出入りが容易に行える２０ｍｍ以下に設定できる適宜の形状を採用することができるし、補強部９ｄの形状を例えば図４の二点鎖線で示すように、内部に略正方形状の空洞を有する比較的大きな中空状に形成することもできる。
【００２１】
このように、上記実施形態のドア８の取付構造にあっては、防水パン１の壁パネル載置部３の外周縁に、防水パン１の底面部２に対して高さ寸法ｈ１を有すると共に下枠８ａの凹部１１に嵌入する立ち上げ部３ｂが形成され、この立ち上げ部３ｂの外側に下枠８ａに設けた補強部９ｄを位置させた状態でドア枠が防水パン１のドア取付位置に取り付けられるため、従来の単に平坦に形成された下枠１０３に比較して、補強部９ｄにより下枠８ａに十分な強度を確保することができる。
【００２２】
特に、下枠８ａの補強部９ｄが下方に突出する如く所定断面積を有する断面ロ字状の中空状に一体形成されていることから、下枠８ａを軽量化しつつその強度アップを効果的に図ることができると共に、パネル載置部３の立ち上げ部３ｂの裏面側に補強用のリブ３ｃが一体形成されていることから、このリブ３ｃによって立ち上げ部３ｂ自体の強度アップを図ることができる。これらにより、ドア８を防水パン１のドア取付位置に所定強度で安定して取り付けることが可能となる。
【００２３】
また、防水パン１の外周部の例えば全域に同一形状の壁パネル載置部３が一体形成されて、この壁パネル載置部３のドア取付位置にドア枠の下枠８ａがそのまま載置されてドア８が取り付けられるため、立ち上げ部３ｂに水返しの機能を持たせることができて、従来のようにドア取付位置の水返し部１０５を切り欠く必要がなくなり、切り欠くことにより必要であった止水機構を別途必要とせず、ドア取付位置に十分な止水性を簡単に確保することができる。特に、壁パネル載置部３の載置面３ａが、立ち上げ部３ｂの内側で防水パン１の底面部２より高さ寸法ｈ１高い位置に略平坦に形成されているため、壁パネル載置部３に従来のような凹部１０４がなくなり、載置面３ａ上に水が溜まることを防止できて、壁乗面としての載置面３ａの清潔さを維持できると共に、ドア取付位置の止水性を一層高めることが可能となる。
【００２４】
さらに、防水パン１の外周部に同一形状の立ち上げ部３ｂを有する壁パネル載置部３が形成され、各壁パネル載置部３に壁パネル６が載置されると共に、壁パネル載置部３のドア取付位置に下枠取付機能を有する立ち上げ部３ｂを利用して下枠８ａが取り付けられるため、従来のように防水パン１の一部を切り欠くことなく、ドア８を防水パン１の外周部の所望位置に取り付けることができる。その結果、ドア８を図１の三点鎖線で示す位置にも簡単に取り付けることができる。
【００２５】
また、例えば一つの型で成形した防水パン１をドア取付位置に係わらずそのまま使用できて、防水パン１自体を安価に製造でき、その生産性を高めることができると共に、前述したように、切り欠くことによる止水機構が不要となって部材数の低減を図ることができる。また、下枠８ａの補強部９ｄや凹部１１及び防水パン１の立ち上げ部３ｂに位置決め機能を持たせることができて、壁パネル載置部３上への下枠８ａの載置作業が容易に行えると共に、防水パン１に対する下枠８ａの移動が規制されて、両者間に安定した取付状態を得ることができる。これらのことから、生産性やコスト面及び施工面で有利なドア８の取付構造を提供することが可能となる。
【００２６】
またさらに、ドア８の下枠８ａが、その裏面側に補強部９ｄが形成された第１平坦部９と、補強部９ｄの外側で第１平坦部９より高い位置に形成されて防水パン１の底面部２との段差ｈを２０ｍｍ以下に設定する第２平坦部１０を有するため、第１平坦部９と第２平坦部１０で、防水パン１のドア取付位置に、水漏れ防止効果を確実に維持しつつ浴室内への出入りに最適な２０ｍｍ以下の段差を容易に得ることができて、高齢者等がいる家庭の浴室ユニット等にも好適に適用することが可能となる。
【００２７】
なお、上記実施形態においては、平面視で長方形状の防水パン１の外周４辺の全てに同一形状の壁パネル載置部３を一体形成したが、例えば浴槽側防水パン７が連結される外周部の形状を防水パン７が連結し易い形状に形成して壁パネル載置部３を省略する構成とししても良い。また、上記実施形態における補強部９ｄの形状も断面ロ字状の中空状に限らず、例えば断面略円形の中空状やリブ形状等の適宜の補強形状を採用できるし、上記実施形態における防水パン１の全体形状や立ち上げ部３ｂ及びリブ３ｃの形状等も一例であって、上記実施形態の同様の機能が得られる適宜の形状を採用することができる。
【産業上の利用可能性】
【００２８】
本発明は、浴室ユニットの浴槽側防水パンと分割された防水パンに限らず、浴槽側防水パンが一体成形された防水パンにも適用できるし、浴室ユニット以外のシャワー室等の他の衛生設備室の防水パンにも適用できる。
【図面の簡単な説明】
【００２９】
【図１】本発明に係わる浴室のドア取付構造に使用される防水パンを示す斜視図
【図２】同そのＡ−Ａ線に沿った縦断面図
【図３】同壁パネルの載置状態を示す縦断面図
【図４】同ドア枠の取付形態を示す縦断面図
【図５】従来のドア取付構造を示す縦断面図
【図６】同その防水パンの外周部の縦断面図
【符号の説明】
【００３０】
１・・・防水パン、２・・・底面部、３・・・壁パネル載置部、３ａ・・・載置面、３ｂ・・・立ち上げ部、３ｃ・・・リブ、４・・・排水口部、５・・・リブ、６・・・壁パネル、６ａ・・・下端、７・・・浴槽側防水パン、８・・・ドア、８ａ・・・下枠、９・・・第１平坦部、９ｃ・・・ビス用ホール、９ｄ・・・補強部、１０・・・第２平坦部、１０ａ・・・ビス用ホール、１１・・・凹部、１２・・・シール材、１４・・・脱衣場フロア。
【図１】
2006226076.tif 000003
【図２】
2006226076.tif 000004
【図３】
2006226076.tif 000005
【図４】
2006226076.tif 000006
【図５】
2006226076.tif 000007
【図６】
2006226076.tif 000008